(57)【要約】【課題】複数の端末装置ごとに予約状況を管理して、複数の端末装置のそれぞれが同一のコンテンツを予約された日時に再生可能になる技術の実現。【解決手段】受信装置は、コピー可能回数が制限されたコンテンツを受信する受信手段と、前記受信手段により受信したコンテンツを記録する記録手段と、接続手段を介して接続される端末装置に前記記録手段に記録されたコンテンツをコピーし、一時的に再生可能にするムーブ手段と、前記コピーしたい対象コンテンツと当該対象コンテンツを再生可能にする日時情報とを指定したコピー予約要求を行う予約手段と、同一のコンテンツについて、複数の端末装置ごとの予約状況を記憶する記憶手段と、前記記憶手段に記憶された予約状況に基づいて、前記予約手段によるコピー予約要求を受け付けるか判断する判断手段と、前記コピー予約要求が受け付けられると、当該コピー予約要求で指定された対象コンテンツと当該対象コンテンツを再生可能にする日時情報とを前記記憶手段に記憶させる制御手段と、を有する。【選択図】図７
2010122769.tif 000002
【特許請求の範囲】
【請求項１】
コピー可能回数が制限されたコンテンツを受信する受信手段と、
前記受信手段により受信したコンテンツを記録する記録手段と、
接続手段を介して接続される端末装置に前記記録手段に記録されたコンテンツをコピーし、一時的に再生可能にするムーブ手段と、
前記コピーしたい対象コンテンツと当該対象コンテンツを再生可能にする日時情報とを指定したコピー予約要求を行う予約手段と、
同一のコンテンツについて、複数の端末装置ごとの予約状況を記憶する記憶手段と、
前記記憶手段に記憶された予約状況に基づいて、前記予約手段によるコピー予約要求を受け付けるか判断する判断手段と、
前記コピー予約要求が受け付けられると、当該コピー予約要求で指定された対象コンテンツと当該対象コンテンツを再生可能にする日時情報とを前記記憶手段に記憶させる制御手段と、を有することを特徴とする受信装置。
【請求項２】
前記制御手段は、前記コピー予約要求が受け付けられると、当該コピー予約要求で指定されている対象コンテンツを前記ムーブ手段によりコピー先の端末装置にコピーさせ、当該対象コンテンツを指定された日時に再生可能にする管理情報を当該端末装置に送信することを特徴とする請求項１に記載の受信装置。
【請求項３】
前記受信装置では、前記対象コンテンツが前記端末装置において再生可能になる日時が到来すると、当該受信装置での当該対象コンテンツの再生を不能とし、
前記端末装置では、前記対象コンテンツが再生可能になる日時が到来すると、当該端末装置での当該対象コンテンツの再生を可能とし、前記対象コンテンツが再生可能になる日時が経過すると、当該端末装置から当該対象コンテンツを削除することを特徴とする請求項１又は２に記載の受信装置。
【請求項４】
前記判断手段は、前記コピー予約要求で指定されている対象コンテンツ及び日時情報と前記記憶手段に記憶された予約状況とを比較し、前記比較の結果を通知することを特徴とする請求項１乃至３のいずれか１項に記載の受信装置。
【請求項５】
前記複数の端末装置とネットワークを介して通信可能な通信手段を更に有し、
前記受信装置は、前記通信手段を介して１の端末装置から受信したコピー予約要求が、他の端末装置によって既に予約済みの場合、当該他の端末装置に対して予約変更要求を送信し、
前記他の端末装置では、前記予約変更要求に対して許可又は拒否が可能であることを特徴とする請求項１乃至４のいずれか１項に記載の受信装置。
【請求項６】
前記複数の端末装置ごとに記憶された予約状況に基づいて、前記ムーブ手段によりコピーされる対象コンテンツのコピー可能な残回数を判定する判定手段を更に有することを特徴とする請求項１に記載の受信装置。
【請求項７】
受信装置と端末装置とが接続されたシステムであって、
前記受信装置は、
コピー可能回数が制限されたコンテンツを受信する受信手段と、
前記受信手段により受信したコンテンツを記録する記録手段と、
接続手段を介して接続される端末装置に前記記録手段に記録されたコンテンツをコピーし、一時的に再生可能にするムーブ手段と、
前記コピーしたい対象コンテンツと当該対象コンテンツを再生可能にする日時情報とを指定したコピー予約要求を行う予約手段と、
同一のコンテンツについて、複数の端末装置ごとの予約状況を記憶する記憶手段と、
前記記憶手段に記憶された予約状況に基づいて、前記予約手段によるコピー予約要求を受け付けるか判断する判断手段と、
前記コピー予約要求が受け付けられると、当該コピー予約要求で指定された対象コンテンツと当該対象コンテンツを再生可能にする日時情報とを前記記憶手段に記憶させる制御手段と、を有し、
前記端末装置は、
前記受信装置から対象コンテンツと当該対象コンテンツを指定された日時に再生可能にする管理情報とを受信する受信手段を有し、
前記受信装置は、前記対象コンテンツが前記端末装置において再生可能にされる日時が到来すると、当該受信装置での当該対象コンテンツの再生を不能とし、
前記端末装置では、前記対象コンテンツが再生可能にされる日時が到来すると、当該端末装置での当該対象コンテンツの再生を可能とし、前記対象コンテンツが再生可能にされる日時が経過すると、当該端末装置から当該対象コンテンツを削除することを特徴とするシステム。
【請求項８】
コピー可能回数が制限されたコンテンツを受信する受信手段と、
前記受信手段により受信したコンテンツを記録する記録手段と、
接続手段を介して接続される端末装置に前記記録手段に記録されたコンテンツをコピーし、一時的に再生可能にするムーブ手段と、
前記コピーしたい対象コンテンツと当該対象コンテンツを再生可能にする日時情報とを指定したコピー予約要求を行う予約手段と、
同一のコンテンツについて、複数の端末装置ごとの予約状況を記憶する記憶手段と、を有する受信装置の制御方法であって、
前記記憶手段に記憶された予約状況に基づいて、前記予約手段によるコピー予約要求を受け付けるか判断する判断工程と、
前記コピー予約要求が受け付けられると、当該コピー予約要求で指定された対象コンテンツと当該対象コンテンツを再生可能にする日時情報とを前記記憶手段に記憶させる制御工程と、を有することを特徴とする制御方法。
【請求項９】
請求項８に記載の制御方法を受信装置のコンピュータに実行させるためのプログラム。
【発明の詳細な説明】
【技術分野】
【０００１】
本発明は、コピー可能回数が制限されたコンテンツを一時的に他の端末装置に持ち出す技術に関する。
【背景技術】
【０００２】
近年の端末装置の普及によって、著作権法によりコピー可能回数が制限されたデジタルコンテンツ、いわゆるコピーワンスコンテンツを一時的に他の端末装置に持ち出せるようにしたムーブ機能の需要が高まっている。
【０００３】
このムーブ機能は、デジタルテレビにおいて、内蔵するＨＤＤ等に録画した放送番組等のコピーワンスコンテンツを擬似的に端末装置に移動し、かつＨＤＤに記録された当該コンテンツを再生不能化する機能である（例えば、非特許文献１参照）。
【０００４】
また、利用制限が可能なコンテンツに設定された利用権の総数と使用中の利用権数とをコンテンツごとに保存し、コンテンツの利用期限を指定した貸し出しの申し込みがあった場合、貸し出し可能な利用権の有無を識別する。そして、貸し出し可能な利用権がある場合は、利用権を出力するとともに、保持された使用中の利用権数を更新することで、利用制限されているコンテンツを管理するシステムがある（例えば、特許文献１参照）。
【非特許文献１】ＡＲＩＢ−Ｂ１４
【特許文献１】特開２００２−３４２６７７号公報
【発明の開示】
【発明が解決しようとする課題】
【０００５】
上記ムーブ機能によって、ユーザは持ち出したコンテンツをその端末装置で再生することができるが、その間、他のユーザは同一のコンテンツを再生することができない。
【０００６】
また、上記特許文献１では、ユーザは申し込みたいコンテンツの貸し出し可能な残利用権数が０の場合、利用権数が１以上になるまで待つ必要がある。
【０００７】
本発明は、上記課題に鑑みてなされ、複数の端末装置ごとに予約状況を管理して、複数の端末装置のそれぞれが同一のコンテンツを予約された日時に再生可能になる技術を実現するものである。
【課題を解決するための手段】
【０００８】
上記課題を解決するために、本発明の受信装置は、コピー可能回数が制限されたコンテンツを受信する受信手段と、前記受信手段により受信したコンテンツを記録する記録手段と、接続手段を介して接続される端末装置に前記記録手段に記録されたコンテンツをコピーし、一時的に再生可能にするムーブ手段と、前記コピーしたい対象コンテンツと当該対象コンテンツを再生可能にする日時情報とを指定したコピー予約要求を行う予約手段と、同一のコンテンツについて、複数の端末装置ごとの予約状況を記憶する記憶手段と、前記記憶手段に記憶された予約状況に基づいて、前記予約手段によるコピー予約要求を受け付けるか判断する判断手段と、前記コピー予約要求が受け付けられると、当該コピー予約要求で指定された対象コンテンツと当該対象コンテンツを再生可能にする日時情報とを前記記憶手段に記憶させる制御手段と、を有する。
【０００９】
また、本発明のシステムは、受信装置と端末装置とが接続されたシステムであって、前記受信装置は、コピー可能回数が制限されたコンテンツを受信する受信手段と、前記受信手段により受信したコンテンツを記録する記録手段と、接続手段を介して接続される端末装置に前記記録手段に記録されたコンテンツをコピーし、一時的に再生可能にするムーブ手段と、前記コピーしたい対象コンテンツと当該対象コンテンツを再生可能にする日時情報とを指定したコピー予約要求を行う予約手段と、同一のコンテンツについて、複数の端末装置ごとの予約状況を記憶する記憶手段と、前記記憶手段に記憶された予約状況に基づいて、前記予約手段によるコピー予約要求を受け付けるか判断する判断手段と、前記コピー予約要求が受け付けられると、当該コピー予約要求で指定された対象コンテンツと当該対象コンテンツを再生可能にする日時情報とを前記記憶手段に記憶させる制御手段と、を有し、前記端末装置は、前記受信装置から対象コンテンツと当該対象コンテンツを指定された日時に再生可能にする管理情報とを受信する受信手段を有し、前記受信装置は、前記対象コンテンツが前記端末装置において再生可能にされる日時が到来すると、当該受信装置での当該対象コンテンツの再生を不能とし、前記端末装置では、前記対象コンテンツが再生可能にされる日時が到来すると、当該端末装置での当該対象コンテンツの再生を可能とし、前記対象コンテンツが再生可能にされる日時が経過すると、当該端末装置から当該対象コンテンツを削除する。
【００１０】
また、本発明の受信装置の制御方法は、コピー可能回数が制限されたコンテンツを受信する受信手段と、前記受信手段により受信したコンテンツを記録する記録手段と、接続手段を介して接続される端末装置に前記記録手段に記録されたコンテンツをコピーし、一時的に再生可能にするムーブ手段と、前記コピーしたい対象コンテンツと当該対象コンテンツを再生可能にする日時情報とを指定したコピー予約要求を行う予約手段と、同一のコンテンツについて、複数の端末装置ごとの予約状況を記憶する記憶手段と、を有する受信装置の制御方法であって、前記記憶手段に記憶された予約状況に基づいて、前記予約手段によるコピー予約要求を受け付けるか判断する判断工程と、前記コピー予約要求が受け付けられると、当該コピー予約要求で指定された対象コンテンツと当該対象コンテンツを再生可能にする日時情報とを前記記憶手段に記憶させる制御工程と、を有する。
【発明の効果】
【００１１】
本発明によれば、複数の端末装置ごとに予約状況を管理して、複数の端末装置のそれぞれが同一のコンテンツを予約された日時に再生可能になるので、ユーザの利便性を向上させることができる。
【発明を実施するための最良の形態】
【００１２】
以下に、添付図面を参照して本発明を実施するための最良の形態について詳細に説明する。
【００１３】
尚、以下に説明する実施の形態は、本発明を実現するための一例であり、本発明が適用される装置の構成や各種条件によって適宜修正又は変更されるべきものであり、本発明は以下の実施の形態に限定されるものではない。
【００１４】
［第１の実施形態］
先ず、第１の実施形態の受信装置および端末装置の構成や動作について説明する。
【００１５】
＜受信装置の説明＞
以下、第１の実施形態の受信装置１０１の構成について説明する。
【００１６】
図１は、第１の実施形態の受信装置の構成を示すブロック図である。
【００１７】
なお、本実施形態の「ムーブ予約」とは、コピー可能回数が制限されたコンテンツのムーブを実行する以前にムーブしたい日時とコンテンツとを指定するユーザ操作を意味する。そして、コンテンツのコピーはムーブ予約を行う際に実行され、ムーブ予約で指定した日時になるとコピー元の機器がコンテンツの再生不能化を行い、コピー先の機器がコンテンツの再生可能化を行う。このようにして、ムーブ予約された日時に一時的に対象コンテンツをムーブする擬似的なムーブ機能を実現する。
【００１８】
チューナ１２０は、図示しないアンテナ又はケーブルテレビ回線を介して入力されたデジタル放送信号を受信する。デスクランブラ１０２は、チューナ１２０で受信した信号の復調処理、誤り訂正処理を施し、トランスポートストリーム（ＴＳ）を生成する。デコーダ１０３は、デスクランブラ１０２から出力される映像信号、音声信号及び番組情報をデコード（復号化）する。合成部１０９は、デコーダ１０３にてデコードされた映像信号と、ムーブ予約画面生成部１０８で生成されたムーブ予約画面の合成を行う。
【００１９】
表示部１１０は、合成部１０９により合成された映像信号をＬＣＤ（Liquid Crystal Display）やＰＤＰ（Plasma Display Panel）等のディスプレイ装置に表示する。
【００２０】
エンコーダ１０６は、デコーダ１０３でデコードされた映像信号、音声信号、番組情報をエンコード（符号化）する。
【００２１】
記録再生制御部１０５は、デコーダ１０３でデコードされたコンテンツデータを記録部１０４に記録する制御を行う。さらに、記録再生制御部１０５は、記録部１０４に記録されているコンテンツデータを再生する制御を行う。暗号処理部１０７は、記録再生制御部１０５が、コンテンツデータの記録や再生を行う際に、記録部１０４にコンテンツデータを記録する際の暗号化処理や、記録部１０４からコンテンツデータを読み出す際の復号化処理を実行する。
【００２２】
リモコン受信部１１６は、図示しないリモコンから送信される赤外線信号等によりリモコンコードを受信する。リモコンコード解析部１１５は、リモコン受信部１１６で受信したリモコンコードを解析する。
【００２３】
ＵＳＢ接続部１１７は、ＵＳＢケーブル等により他の機器とのデータの授受を可能な接続を実現するインタフェースである。ここでは、上記他の機器の一例として図２にＵＳＢ接続可能な端末装置２０１が例示されているが、本実施形態の受信装置１０１に接続できる機器はこれに限定されるものではない。端末装置２０１の構成については後述する。接続機器検出部１１８は、ＵＳＢ接続部１１７に接続されている機器の有無を検出する。
【００２４】
ムーブ予約画面表示判断部１１４は、ユーザがムーブ予約を行うためのユーザインタフェース（ＵＩ）画面を表示するか否かを判断する。このＵＩ画面の表示判断の基準は、次の２点が満たされた場合である。
【００２５】
第１の判断基準は、リモコンコード解析部１１５のリモコンコード解析の結果、図示しないリモコンのムーブ予約ボタンが押されたと判断された場合である。
【００２６】
第２の判断基準は、接続機器検出部１１８でＵＳＢ接続されている機器があると判断された場合である。
【００２７】
ムーブ予約画面生成部１０８では、ムーブ予約画面表示判断部１１４での判断結果により、ムーブ予約を行うためのＵＩ画面を表示する場合に、図３に例示するムーブ予約メニュー画面３０１をＵＩ画面として表示する。ユーザがムーブ予約メニュー画面３０１のセル３０２を選択すると、図４に例示するコンテンツ一覧画面４０１が表示され、受信装置１０１の記録部１０４に記録されているコンテンツＡ〜コンテンツＥを表すアイコン４０２〜４０６を表示する。
【００２８】
ユーザは、コンテンツ一覧画面４０１からムーブ予約を行いたいコンテンツを選択し、コンテンツ一覧画面４０１に従ってコンテンツを選択するとムーブ予約メニュー画面３０１のコンテンツ選択欄３０２に選択したコンテンツ名が表示される。さらに、ユーザはコンテンツのムーブ予約日時をムーブ予約日時入力欄３０３に入力する。
【００２９】
コンテンツ選択欄３０２とムーブ予約日時入力欄３０３への入力が完了すると、ボタン３０４の「上記の内容で予約する」を選択することで、ムーブ予約が完了する。図３では、コンテンツＡを８／２の２０：００〜２２：００にムーブ予約したことになる。
【００３０】
コンテンツムーブ予約管理部１１３は、コンテンツごとのムーブ予約の管理を行う。コンテンツムーブ予約管理部１１３は、図５に例示するコンテンツごとのムーブ予約管理表５０１を保持している。ムーブ予約管理表５０１は、５０２〜５０６のようにコンテンツごとのムーブ予約状況を管理している。例えば、図５のコンテンツＡの予約状況５０２は、２００８年８月２日の１８：００〜２０：００に端末Ｃへのムーブ予約済みであり、その他の時間帯は予約されていないことになる。
【００３１】
また、コンテンツムーブ予約管理部１１３は、記録再生制御部１０５からの対象コンテンツの再生可能化または再生不能化の問い合わせに対して、ムーブ予約管理表５０１に応じた可能または不能の回答を行う。例えば、図５のムーブ予約状況において、２００８／８／２の１９：００にコンテンツＡの再生可能化または再生不能化の問い合わせがあった場合、この時間は端末Ｃへのムーブ予約が入っているため、再生不能の回答を行う。一方、例えば、２００８／８／２の２１：００にコンテンツＡの再生可能化または再生不能化の問い合わせがあった場合、この時間はムーブ予約が入っていないため、再生可能の回答を行う。
【００３２】
コンテンツムーブ制御部１１１は、ユーザによりムーブ予約が行われると、ＵＳＢ接続部１１７に接続されている機器に対象コンテンツのコピーを行い、ムーブライセンス発行部１１９で発行されたムーブライセンス情報を送信する。ムーブライセンス情報とは、ユーザによるムーブ予約に基づき、対象コンテンツと当該対象コンテンツを再生可能化できる日時情報とを含む管理情報である。また、ムーブライセンス情報は、ＡＲＩＢのＳＴＤ−Ｂ２４等で定義される再生制御情報に重畳してもよい。例えば、図３のようなムーブ予約がされた場合は、図６に例示するムーブライセンス情報６０１がＵＳＢ接続部１１７に接続されている機器に発行される。図６の例では、コンテンツＡは２００８／８／２の２０：００〜２２：００に再生可能であることを示しており、コンテンツＡを２００８／８／２の２０：００〜２２：００の間、受信装置１０１から端末装置２０１へムーブすることを意味している。
【００３３】
また、コンテンツムーブ制御部１１１は、暗号処理部１０７により、ＵＳＢ接続部１１７に接続されている機器に対応した暗号化を行う。
【００３４】
＜端末装置の説明＞
次に、端末装置２０１の構成について説明する。
【００３５】
図２は、図１の受信装置１０１とＵＳＢで接続可能な端末装置２０１の構成を示すブロック図である。
【００３６】
ユーザがムーブ予約を行うと、ＵＳＢ接続部２０８は、受信装置１０１のＵＳＢ接続部１１７と通信を行うことで、受信装置１０１から端末装置２０１へ対象コンテンツのコピーを行う。コンテンツムーブ制御部２０６は、ＵＳＢ接続部２０８に接続された受信装置１０１から送信される対象コンテンツとライセンス情報を記録部２０２に保存する。端末装置２０１において、ユーザからムーブ予約要求があると、記録再生制御部２０３は、記録部２０２に保存されているライセンス情報に基づき、現在時刻が予約日時であるか判断する。そして、記録再生制御部２０３は、予約日時の場合は対象コンテンツの再生を行い、予約日時でない場合は再生できない旨のメッセージを表示して再生制御を終了する。ここで、予約日時でない場合は、再生リスト等に再生不能なコンテンツ名等を表示しないようにして、ユーザが再生不能なコンテンツを認識できないようにしても良い。
【００３７】
デコーダ２０４は、記録再生制御部２０３により読み出され、暗号処理部２０９で復号化されたコンテンツのデコード処理を実行する。表示部２０５は、デコーダ２０４でデコードされたコンテンツを表示することで、ユーザは対象コンテンツを再生可能となる。
【００３８】
＜コンテンツの再生可能化／再生不能化＞
図７は、ムーブ予約内容に応じた受信装置１０１と端末装置２０１の動作フローである。
【００３９】
受信装置１０１は、ユーザからムーブ予約要求（Ｓ７０１）を受けると（Ｓ７０１）、他の端末装置とムーブ予約日時が重なっていなければ、ユーザのムーブ予約を受け付ける（Ｓ７０２）。
【００４０】
受信装置１０１は、ムーブ予約を受け付けると、接続されている端末装置２０１に、ムーブ予約対象コンテンツのコピーとムーブ予約日時に基づくライセンス情報を送信する（Ｓ７０３）。図６はライセンス情報６０１を例示している。ライセンス情報６０１は、ユーザにより指定されたムーブ予約日時に基づき、対象コンテンツ名と再生可能化日時及び再生不能化日時を含む。対象コンテンツのコピーが実行された後、再生可能化日時が到来するまでは（Ｓ７０４でＮＯ）、受信装置１０１で対象コンテンツの再生が可能である。また、コピー先の機器での再生可能化日時が到来した後は（Ｓ７０８でＮＯ）、受信装置１０１で対象コンテンツを再生することはできなくなる。
【００４１】
受信装置１０１では、図５に例示したムーブ予約管理表５０１に基づき、対象コンテンツがコピー先の機器でのムーブ予約日時になると（Ｓ７０４でＹＥＳ）、当該コンテンツの再生不能化を行い、受信装置１０１での再生を不能とする（Ｓ７０５）。また、受信装置１０１は、対象コンテンツのムーブ予約日時が終了すると（Ｓ７０６でＹＥＳ）、当該対象コンテンツの再生可能化を行い、受信装置１０１での再生を可能とする（Ｓ７０７）。
【００４２】
一方、端末装置２０１では、受信装置１０１に送信されたライセンス情報に基づき、対象コンテンツがムーブ予約日時になると（Ｓ７０８でＹＥＳ）、当該対象コンテンツの再生可能化を行い、端末装置２０１での再生を可能とする（Ｓ７０９）。また、端末装置２０１は、対象コンテンツのムーブ予約日時が終了すると（Ｓ７１０でＹＥＳ）、当該対象コンテンツの再生不能化を行い、端末装置２０１での再生を不能とする（Ｓ７１１）。
【００４３】
＜ムーブ予約時の動作＞
図８は、ムーブ予約時の受信装置１０１と端末装置２０１の動作フローである。
【００４４】
ユーザのリモコン操作等によりムーブ予約要求が入力されると（Ｓ８２１）、受信装置１０１の接続機器検出部１１８が、ＵＳＢ接続部１１７に機器が接続されているか否か判定する（Ｓ８０８）。ＵＳＢ接続機器が接続されていない場合（Ｓ８０８でＮＯ）、ムーブ予約画面表示判断部１１４はムーブ予約画面を表示しないと判断する。そして、ムーブ予約画面生成部１０８は「ムーブ先の機器を接続してください」等の機器の接続を要求するメッセージを表示する（Ｓ８０９）。その後、ステップＳ８０８に戻り、ＵＳＢ接続部１１７に機器が接続されているか否か判断する。
【００４５】
一方、ＵＳＢ接続部１１７に機器が接続されている場合（Ｓ８０８でＹＥＳ）、ムーブ予約画面表示判断部１１４はムーブ予約画面を表示すると判断し、ムーブ予約画面生成部１０８は、図３に例示するムーブ予約メニュー画面３０１を表示する（Ｓ８１０）。
【００４６】
ユーザはムーブ予約メニュー画面３０１の入力手順に従い、ムーブ予約を行いたいコンテンツ名をコンテンツ選択欄３０２へ、ムーブ予約日時をムーブ予約日時入力欄３０３へそれぞれ入力する（Ｓ８２２）。コンテンツ選択欄３０２へコンテンツ名を入力する場合、ユーザがセル３０２を選択すると、受信装置１０１は、図４に例示するコンテンツ一覧画面４０１を表示する。ユーザが、コンテンツ一覧画面４０１からコンテンツ４０２〜４０６のいずれかを選択することでコンテンツ選択欄３０２への入力が行われる。また、ムーブ予約日時入力欄３０３への入力は、リモコンのテンキー等により行う。また、図９に例示するムーブ予約日時を選択する画面９０１を表示することでムーブ予約日時を入力しても良い。図９の場合、ユーザはリモコンの上下左右キーによりカーソル９０２を移動させることで、ムーブ予約日時を決定する。図９の９０３〜９０７は、既に他の機器にムーブ予約されている状況を示しており、ユーザはこの時間にムーブ予約を行うことはできない。
【００４７】
ユーザがムーブ予約メニュー画面３０１へ必要事項を入力しムーブ予約要求を行う（Ｓ８１１）。すると、受信装置１０１のコンテンツムーブ予約管理部１１３はムーブ予約管理表５０１を用いて、メニュー画面３０１に入力されたムーブ予約日時が既にムーブ予約済みか否か判断する（Ｓ８１２）。判断の結果、既にムーブ予約済みであった場合（Ｓ８１２でＹＥＳ）、受信装置１０１は、「ムーブ予約日時が重なっています。もう一度入力してください。」等のメッセージを表示することで、ユーザに対してムーブ予約日時の再入力を要求する（Ｓ８１４）。また、ムーブ予約済みでなかった場合（Ｓ８１２でＮＯ）、コンテンツムーブ予約管理部１１３にて、ムーブ予約管理表５０１に、新たに要求されたムーブ予約情報を追加する（Ｓ８１３）。
【００４８】
ムーブ予約管理表５０１を更新後、受信装置１０１は、接続されている機器にＵＳＢ接続部１１７を介して、対象コンテンツのコピーを行う（Ｓ８１５、Ｓ８０１）。同時に、ムーブライセンス発行部１１９にて、コンテンツムーブ予約管理部１１３の対象コンテンツのムーブ予約情報に基づき、ムーブライセンス情報の発行を行う。受信装置１０１は、発行したムーブライセンス情報をＵＳＢ接続部１１７を介してムーブ先の機器へ送信する（Ｓ８１６、Ｓ８０２）。このムーブライセンス情報として、図６に例示したように、対象コンテンツのムーブ予約日時に基づいて、再生可能化時間と再生不能化時間を示す情報が記述されている。
【００４９】
受信装置１０１でムーブ予約済みのコンテンツの再生を行う場合、記録再生制御部１０５からコンテンツムーブ予約管理部１１３に対象コンテンツのムーブ予約状況の問い合わせを行う。そして、現在時刻がムーブ予約日時でない場合（Ｓ８１７でＮＯ）、対象コンテンツの再生を行う。例えば、図５のようなムーブ予約状況の場合、コンテンツＡを受信装置１０１で再生する時間が、２００８／８／２  ２２：００である場合は、この時間はムーブ予約されていないためコンテンツＡの再生が可能である。
【００５０】
記録再生制御部１０５では、コンテンツムーブ予約管理部１１３に対象コンテンツのムーブ予約状況の問い合わせを行い、現在時刻がムーブ予約日時に該当している場合（Ｓ８１７でＹＥＳ）、対象コンテンツの再生不能化を行う（Ｓ８１８）。受信装置１０１では、対象コンテンツの再生不能化を行った状態で、ユーザからの再生要求があった場合は、「ムーブ中です」等のメッセージを表示し再生を実行しない。この場合、図１０に例示する再生したいコンテンツを選択するための再生コンテンツ一覧画面１００１により再生不能化されていることを表示しても良い。また、再生コンテンツ一覧画面１００１において、ムーブ予約中のコンテンツの選択ボタン１００２，１００４をグレーアウトすることで再生不能化されていることを表示しても良い。このように、グレーアウトすることで、ムーブ予約中のコンテンツの選択ボタン１００２，１００４が不活性状態となって選択不能となる。更に、ムーブ予約中のコンテンツの選択ボタン１００２，１００４をグレーアウトすると同時にムーブ予約終了時間１００７，１００８を表示しても良い。
【００５１】
また、受信装置１０１でのコンテンツ再生中に、再生コンテンツについてムーブ予約日時が到来した場合には、「このコンテンツはムーブされました」とメッセージを表示して再生を中止し、当該再生コンテンツの再生不能化を行う。なお、受信装置１０１でのコンテンツの再生開始時に、コンテンツの総再生時間からコンテンツ再生中にムーブ予約日時と重なることが予め判明している場合は、再生開始時に再生が中断する警告メッセージを出しても良い。例えば、コンテンツＡの再生時間が２時間であり、図５の場合、コンテンツＡは、２００８／８／２の１８：００〜２０：００にムーブ予約されている。このため、受信装置１０１で１７：００よりコンテンツＡの再生を開始すると、１時間再生した時点で再生を中断することになる。この場合、再生開始時に「このコンテンツは再生中にムーブのため中断します。」等のメッセージを表示することでユーザに注意を促す。
【００５２】
受信装置１０１は、対象コンテンツのムーブ予約日時が終了すると（Ｓ８１９でＹＥＳ）、当該対象コンテンツの再生可能化を行う。これによって、受信装置１０１での再生が可能となる。
【００５３】
一方、Ｓ８０１、Ｓ８０２で対象コンテンツのコピーとライセンス情報とを受信した端末装置２０１は、コピーされたコンテンツとライセンス情報を記録部２０２に保存する。端末装置２０１では、現在時間がライセンス情報に記述されている再生可能化時間前では（Ｓ８０３でＮＯ）、対象コンテンツが再生不能化されているため、ユーザの再生要求があっても再生を実行しない。再生可能化時間になると（Ｓ８０３でＹＥＳ）、対象コンテンツが再生可能化されるので（Ｓ８０４）、ユーザからの再生要求があれば記録再生制御部２０３により対象コンテンツの再生を実行する。
【００５４】
また、再生可能化時間が経過すると（Ｓ８０５でＹＥＳ）、対象コンテンツは再生不可能化され（Ｓ８０６）、端末装置２０１では、対象コンテンツとライセンス情報が削除される（Ｓ８０６）。
【００５５】
以上説明したように、第１の実施形態によれば、受信装置１０１が、複数の端末装置２０１ごとにコンテンツのムーブ予約管理を行う。また、端末装置２０１では、ムーブ予約時にコンテンツのコピーを行っておき、ムーブ予約日時だけ対象コンテンツが再生可能化される。
【００５６】
このように、ムーブ予約日時だけ対象コンテンツの擬似的なムーブ（再生可能化）を行うことで、特定の端末装置が必要な時間以上にコンテンツを占有することがなくなり、複数の端末装置でコンテンツをより有効に活用することが可能となる。
【００５７】
［第２の実施形態］
次に、第２の実施形態の受信装置および端末装置の構成や動作について説明する。
【００５８】
＜受信装置の説明＞
以下、第２の実施形態の受信装置１０１の構成について説明する。
【００５９】
図１１は、第２の実施形態の受信装置の構成を示すブロック図である。
【００６０】
第１の実施形態との相違は、ムーブ予約機器固有情報記憶部１１０２、ムーブ予約変更管理部１１０３、通信部１１０４を備えている点である。また、第１の実施形態と同一の機能を有するブロックには、同一の符号を付して示している。
【００６１】
通信部１１０４は、他の機器としての端末装置１２０１とネットワークを介して通信を行う。ムーブ予約機器固有情報記憶部１１０２は、ムーブ予約を行っている機器の固有情報を記憶する。ムーブ予約機器固有情報記憶部１１０２に記憶される機器固有情報は、機器名、ＩＰアドレスであるが、これに限定されるわけではない。
【００６２】
図１３は、ムーブ予約機器固有情報記憶部１１０２に記憶される機器固有情報１３０１を例示している。図１３の場合、端末装置ＡのＩＰアドレスは、ＩＰアドレスＡとなる。機器固有情報は、ムーブ予約を行う際にＵＳＢ接続部１１７を介して接続機器から取得する。
【００６３】
ムーブ予約変更管理部１１０３は、通信部１１０４を介してネットワーク経由でムーブ予約要求があった場合に、必要に応じてネットワーク接続されている他の端末装置へムーブ予約の変更を要求する。
【００６４】
例えば、ムーブ予約変更管理部１１０３は、通信部１１０４を介して図１２の構成を持つ端末装置Ａより、ムーブ予約要求があると、コンテンツムーブ予約管理部１１３に問い合わせを行い、ムーブ予約状況の確認を行う。また、端末装置Ａからムーブ予約を行う対象コンテンツ名、ムーブ予約希望時間が送信される。
【００６５】
また、ムーブ予約変更管理部１１０３は、図１４に例示するムーブ予約状況１４０１において、端末装置Ａから予約日時１４０５にコンテンツＡのムーブ予約がある場合、ムーブ予約可能と判断する。ムーブ予約変更管理部１１０３は、端末装置Ａへライセンス情報を送信する。
【００６６】
一方、図１４において、端末装置Ａから予約日時１４０７にコンテンツＡのムーブ予約を受信した場合は、既にムーブ予約を行っている端末装置Ｄへムーブ予約変更要求を送信する。ムーブ予約変更要求を受信した端末装置Ｄは、「変更許可」、「ムーブ予約キャンセル」又は「変更拒否」を受信装置１１０１へ返信する。ムーブ予約変更管理部１１０３は、端末装置Ｄからの返信に基づき、端末装置Ａへムーブライセンス情報の送信又はムーブ予約の却下を送信する。受信装置１１０１とネットワーク接続されている端末装置Ａ、Ｄの処理については後述する。
【００６７】
＜端末装置の説明＞
次に、端末装置１２０１の構成について説明する。
【００６８】
図１２は、図１１の受信装置１１０１と通信可能な端末装置１２０１の構成を示すブロック図である。
【００６９】
第１の実施形態との相違は、ムーブ予約依頼部１２０２、ムーブ予約変更受付部１２０３、通信部１２０４が備えている点である。また、第１の実施形態と同一の機能を有するブロックには、同一の符号を付して示している。
【００７０】
通信部１２０４は、ネットワーク接続された受信装置１１０１と通信を行う。ムーブ予約依頼部１２０２は、ムーブ予約日時が経過しライセンス情報が消失したコンテンツのムーブ予約日時を通信部１２０４を介して受信装置１１０１に送信する。受信装置１１０１にてムーブ予約が成功すれば、ムーブライセンス情報が受信装置１１０１から送信され、ムーブ予約依頼部１２０２は、ムーブライセンス情報をコンテンツムーブ制御部２０６へ出力する。受信装置１１０１にてムーブ予約が失敗すれば、受信装置１１０１からムーブ予約失敗が通知され、ムーブ予約依頼部１２０２ではムーブ予約失敗と判断する。
【００７１】
ムーブ予約変更受付部１２０３は、ムーブ予約を行っていない他の機器が受信装置１１０１に対して要求したムーブ予約日時と、受信装置１１０１で既にムーブ予約が行われている同一コンテンツのムーブ予約日時とを比較する。そして、両方のムーブ予約日時が重なっている場合に、受信装置１１０１から通信部１２０４を介して送信されるムーブ予約変更要求を受け付ける。
【００７２】
端末装置１２０１は、ムーブ予約変更要求を受け付けると、図１５に例示するムーブ予約変更要求画面１５０１を表示する。
【００７３】
ユーザは、ムーブ予約の変更を許可する場合は、変更許可ボタン１５０２を選択し、予約日時入力欄１５０３に変更後の日時を入力する。ユーザが変更許可ボタン１５０２を選択して、予約日時入力欄１５０３に日時を入力すると、ムーブ予約変更受付部１２０３は、通信部１２０４を介して受信装置１１０１に変更要求許可通知及び変更後の予約日時を送信する。
【００７４】
ユーザは、上記予約変更要求を許可したコンテンツのムーブ予約をキャンセルする場合は、ムーブ予約キャンセルボタン１５０４を選択する。ユーザが、ムーブ予約キャンセルボタン１５０４を選択すると、ムーブ予約変更受付部１２０３は、通信部１２０４を介して受信装置１１０１にムーブ予約キャンセル情報を送信する。
【００７５】
ユーザは、ムーブ予約の変更を許可しない場合は、変更拒否ボタン１５０５を選択する。ユーザが、変更拒否ボタン１５０５を選択すると、ムーブ予約変更受付部１２０３は、通信部１２０４を介して受信装置１１０１に変更要求拒否情報を送信する。
【００７６】
＜ムーブ予約変更処理の説明＞
図１６は、第２の実施形態の受信装置１１０１と端末装置によるムーブ予約変更処理フローである。
【００７７】
第１の実施形態の図８のフローでは、ムーブ予約日時が終了すると、対象コンテンツを削除するが（Ｓ８０７）、第２の実施形態では、対象コンテンツの削除は行わず、再生不能化のみを実行する。
【００７８】
以下、受信装置１１０１には、図１４に例示するムーブ予約がされているとする。
【００７９】
本実施形態では、端末装置Ａのムーブ予約日時１４０５にコンテンツＡの再生を実行できなかった場合であっても、ムーブ予約日時１４０５を経過するとコンテンツＡは再生不能化される。ユーザは、再生不可能化されているコンテンツＡの再生を行いたい場合に、端末装置Ａのムーブ予約依頼部１２０２が受信装置１１０１へムーブ予約要求を送信する（Ｓ１６０１）。このムーブ予約要求時に送信される情報は、対象コンテンツ名とムーブ予約日時とを含む。
【００８０】
受信装置１１０１は、通信部１１０４を介して端末装置Ａから送信されるムーブ予約要求を受信する（Ｓ１６０５）。ムーブ予約変更管理部１１０３では、ムーブ予約要求元である端末装置ＡのＩＰアドレスとムーブ予約機器固有情報記憶部１１０２に記憶されている情報とから要求元の機器を特定する。
【００８１】
端末装置Ａからムーブ予約要求されたコンテンツＡのムーブ予約日時が他の機器により予約済みでなければ（Ｓ１６０６でＮＯ）、ムーブ予約が可能と判断する（Ｓ１６１０でＹＥＳ）。例えば、端末装置Ａからのムーブ予約日時が、図１４の予約日時１４０６の場合は、未予約である。また、予約済み／未予約の判断は、コンテンツムーブ予約管理部１１３に問い合わせを行うことにより実行する。
【００８２】
端末装置ＡからのコンテンツＡのムーブ予約日時がムーブ予約済みの場合（Ｓ１６０６でＹＥＳ）、ムーブ予約機器固有情報記憶部１１０２からムーブ予約済み機器のＩＰアドレスを取得する（Ｓ１６０７）。例えば、端末装置Ａからのムーブ予約日時が、図１４の予約日時１４０７の場合は、端末装置Ｄによるムーブ予約済みと判断する。そして、ムーブ予約機器固有情報記憶部１１０２に問い合わせを行い、図１３の機器固有情報１３０１から端末装置ＤのＩＰアドレスであるＩＰアドレスＤを取得する。
【００８３】
ムーブ予約変更管理部１１０３は、取得したムーブ予約済みの端末装置ＤのＩＰアドレスＤを用いて、通信部１１０４を介してムーブ予約済み機器である端末装置Ｄにムーブ予約変更要求を送信する（Ｓ１６０８）。
【００８４】
受信装置１１０１は、端末装置Ｄからムーブ予約変更要求に対する返信を受信する（Ｓ１６０９）。この返信は、端末装置Ｄでのユーザ操作に応じて、「変更許可」、「ムーブ予約キャンセル」及び「変更拒否」のいずれかとなる。
【００８５】
端末装置Ｄにおいて、ユーザが図１５のムーブ予約変更要求画面１５０１の変更許可ボタン１５０２を選択した場合は、端末装置Ｄのムーブ予約日時の変更を行う（Ｓ１６１０でＹＥＳ）。ムーブ予約変更管理部１１０３は、ユーザがムーブ予約日時入力欄１５０３に入力したムーブ予約変更日時を受信する（Ｓ１６１１）。
【００８６】
ムーブ予約変更管理部１１０３は、端末装置Ｄから受信したムーブ予約変更日時をコンテンツムーブ予約管理部１１３に登録する。ムーブ予約変更管理部１１０３は、コンテンツムーブ予約管理部１１３を介してムーブライセンス発行部１１９からライセンス情報を取得する。そして、変更後のムーブ予約のライセンス情報を通信部１１０４を介して送信する（Ｓ１６１２）。
【００８７】
一方、端末装置Ｄにおいて、ユーザが図１５のムーブ予約変更要求画面１５０１の変更拒否ボタン１５０５を選択した場合は、端末装置Ｄから変更拒否が送信される。ムーブ予約変更管理部１１０３は、変更拒否を受信すると、端末装置Ａからのムーブ予約要求が失敗と判断する（Ｓ１６１３がＮＧ）。ムーブ予約変更管理部１１０３は、端末装置Ａからのムーブ予約要求が失敗と判断すると（Ｓ１６１３がＮＧ）、端末装置Ａにムーブ予約が失敗したことを通知するムーブ予約不可が送信される（Ｓ１６１５）。
【００８８】
また、端末装置Ｄにおいて、ユーザが図１５のムーブ予約変更要求画面１５０１の変更許可ボタン１５０２又はムーブ予約キャンセルボタン１５０４を選択した場合は、端末装置Ｄから「変更許可」又は「ムーブ予約キャンセル」が送信される。ムーブ予約変更管理部１１０３は、「変更許可」又は「ムーブ予約キャンセル」を受信すると、端末装置Ａからのムーブ予約要求が成功と判断する（Ｓ１６１３がＯＫ）。ムーブ予約要求が成功と判断した場合（Ｓ１６１３がＯＫ）、コンテンツムーブ予約管理部１１３は、図１４のムーブ予約管理表１４０１の更新を行う（Ｓ１６１４）。
【００８９】
図１４のムーブ予約管理表１４０１を更新する際、端末装置Ｄにおいて、ユーザがムーブ予約変更要求画面１５０１の変更許可ボタン１５０２を押した場合は、端末装置Ｄのムーブ予約の変更と端末装置Ａのムーブ予約を追加する。また、端末装置Ｄにおいて、ユーザがムーブ予約キャンセルボタン１５０４を選択した場合は、端末装置Ｄのムーブ予約を削除し、端末装置Ａのムーブ予約を追加する。
【００９０】
続いて、ムーブ予約変更管理部１１０３は、端末装置Ａにムーブ予約要求が成功したことを通知するムーブ予約許可通知を送信する（Ｓ１６１６）。そして、ムーブ予約変更管理部１１０３は、ムーブライセンス発行部１１９にて発行された、端末装置Ａのムーブ予約のライセンス情報を送信する（Ｓ１６１７）。
【００９１】
端末装置Ｄでは、コンテンツＡのムーブ予約変更要求を通信部１２０４を介して受信する（Ｓ１６１８）。
【００９２】
端末装置Ｄでは、受信装置１１０１からのムーブ予約変更要求を通信部１２０４を介して受信する。ムーブ予約変更要求を受信すると、ムーブ予約変更受付部１２０３は、図１５のムーブ予約変更要求画面１５０１を表示ことで、ユーザに対してムーブ予約日時の変更を要求する（Ｓ１６１９）。
【００９３】
ムーブ予約変更受付部１２０３は、ユーザが変更許可ボタン１５０２を選択した場合（Ｓ１６２０で許可）は、ムーブ予約変更要求を許可したことを通知する変更許可通知を受信装置１１０１へ送信する（Ｓ１６２２）。続いて、ムーブ予約変更受付部１２０３は、ユーザにより予約日時入力欄１５０３に入力された予約日時を、受信装置１１０１へ送信する（Ｓ１６２３）。そして、ムーブ予約変更受付部１２０３は、端末装置Ｄから受信装置１１０１へ送信した予約日時に基づくライセンス情報を受信する（Ｓ１６２４）。この時、当初の予約日時１４０７のライセンス情報は破棄する。このようにして、端末装置Ｄが予めムーブ予約していたコンテンツＡのムーブ予約日時が、受信装置１１０１のムーブ予約変更要求に基づき変更される。
【００９４】
図１５のムーブ予約変更要求画面１５０１において、ユーザがムーブ予約キャンセルボタン１５０４を選択した場合（Ｓ１６２０でキャンセル）は、現在のムーブ予約日時１４０７をキャンセルする通知を送信する（Ｓ１６２５）。この時、当初のムーブ予約日時１４０７のライセンス情報は破棄する。
【００９５】
図１５のムーブ予約変更要求画面１５０１において、ユーザが変更拒否ボタン１５０５を選択した場合（Ｓ１６２０が拒否）は、ムーブ予約変更要求を拒否したことを通知する変更拒否通知を受信装置１１０１へ送信する（Ｓ１６２１）。変更拒否の場合は、端末装置Ｄは、特別な処理を実行しない。
【００９６】
以上説明したように、第２の実施形態によれば、端末装置１２０１からのムーブ予約要求に対して、受信装置１１０１は、既に同一コンテンツの同一日時にムーブ予約を行っているネットワーク上の他の端末装置に対してムーブ予約の変更を要求する。
【００９７】
また、受信装置１１０１では、ネットワーク上の端末装置間でのムーブ予約の再調整を行うことことで、より柔軟にコンテンツの有効利用を図ることが可能となる。
【００９８】
［第３の実施形態］
次に、第３の実施形態の受信装置および端末装置の構成や動作について説明する。
【００９９】
＜受信装置の説明＞
以下、第３の実施形態の受信装置１７０１の構成について説明する。
【０１００】
図１７は、第３の実施形態の受信装置の構成を示すブロック図である。
【０１０１】
第１の実施形態との相違は、コンテンツコピー制御部１７０２、コピー回数予約管理部１７０３、コピーライセンス発行部１７０４、コピー予約画面表示判断部１７０５、コピー予約画面生成部１７０６を備えている点である。また、第１の実施形態と同一の機能を有するブロックには、同一の符号を付して示している。
【０１０２】
コピーライセンス発行部１７０４は、ＵＳＢ接続された機器にコンテンツのコピーを行う場合に、コピーしたコンテンツの有効期間を指定した情報（以下、コピーライセンス情報）を発行する。このコピーライセンス情報は、第１の実施形態の図６のムーブ予約時のライセンス情報と同じフォーマットとする。
【０１０３】
ここで、図１９を参照して、機器Ａから機器Ｂへコンテンツのコピーを行う処理について説明する。なお、コピーライセンス情報には有効期間２００８／９／２０  １４：００〜１６：００と記述されているものとする。
【０１０４】
図９において、機器Ａから機器Ｂに対して複数回のコピーが可能なコンテンツＡをコピーする。ここでは、先ず機器Ａから機器Ｂに対してコンテンツＡのコピーとライセンス情報を送信する（１９０１）。このライセンス情報には、コピーの有効期間２００８／９／２０  １４：００〜１６：００が記述されている。有効期間前（１９０２，１９０５）は、機器ＡではコンテンツＡのコピー可能回数は変化しない。また同有効期間中は機器ＢではコンテンツＡの再生はできない。有効期間が到来すると（１９０３，１９０６）は、機器ＡではコンテンツＡのコピー可能回数が１回減少する。また同有効期間中は機器ＢではコンテンツＡの再生が可能となる。有効期間後（１９０４，１９０７）になると、機器ＡではコンテンツＡのコピー可能回数は、元に戻る。また同有効期間中は、機器ＢではコンテンツＡの再生はできない。
【０１０５】
コピー予約画面表示判断部１７０５は、ユーザに対してコピー予約を行うためのＵＩを表示するか否かを判断する。このＵＩ表示の判断基準は、次の２点を満たした場合である。
【０１０６】
第１の判断基準は、リモコンコード解析部１１５による解析の結果、リモコンのコピー予約ボタンが押されたと判断された場合である。第２の判断基準は、接続機器検出部１１８でＵＳＢ接続されていると判断された場合である。コピー予約画面生成部１７０６では、コピー予約画面表示判断部１７０５でコピー予約を行うためのＵＩを表示すると判断された場合に、図２０に例示するコピー予約メニュー画面２００１を表示する。ユーザがセル２００２を選択すると、図２１に例示するコピー可能コンテンツ一覧画面２１０１の表示を行い、記録部１０４に記録されているコンテンツ２１０２〜２１０６の表示を行う。
【０１０７】
ユーザは、コピー可能コンテンツ２１０２〜２１０６からコピー予約を行いたいコンテンツを選択する。ユーザが、コピー可能コンテンツ一覧画面２１０１から所望のコンテンツを選択すると、コピー予約メニュー画面２００１のコンテンツ選択欄２００２に選択したコンテンツが表示される。さらに、ユーザはコンテンツのコピー予約を行いたい日時をコピー予約日時入力欄２００３に入力する。コンテンツ選択欄２００２とコピー予約日時入力欄２００３への入力が完了すると、ボタン２００４の「上記の内容で予約する」を選択することで、コピー予約が完了する。図２０の例では、コンテンツＡを８／２の２０：００〜２２：００まで、コピー予約したことになる。
【０１０８】
コピー回数予約管理部１７０３は、コンテンツのコピー回数予約の管理を行う。コピー回数予約管理部１７０３は、図２２に例示するコンテンツのコピー回数予約管理表２２０１を保持している。コピー回数予約管理表２２０１は、コンテンツごとのコピー予約２２０２〜２２０６を管理している。例えば、コピー予約２２０２の場合、８月２日の１６：００〜１８：００は、コンテンツＡの残コピー可能回数は６回である。また、コピー予約２２０３の場合では、８月２日の２２：００〜２４：００は、コンテンツＢの残コピー可能回数は８回である。
【０１０９】
コンテンツコピー制御部１７０２は、ユーザによりコピー予約が行われた場合にＵＳＢ接続部１１７に接続されている機器へ対象コンテンツのコピーを行い、コピーライセンス発行部１７０４で発行されたコピーライセンス情報を送信する。
【０１１０】
また、コンテンツコピー制御部１７０２は、暗号処理部１０７により、ＵＳＢ接続部１１７に接続されている機器に対応した暗号化を行う。
【０１１１】
＜端末装置の説明＞
次に、端末装置１８０１の構成について説明する。
【０１１２】
図１８は、図１７の受信装置１７０１とＵＳＢで接続可能な端末装置１８０１の構成を示すブロック図である。
【０１１３】
第１の実施形態との相違は、コンテンツコピー制御部１８０２を備えている点である。また、第１の実施形態と同一の機能を有するブロックには、同一の符号を付して示している。
【０１１４】
コンテンツコピー制御部１８０２は、ＵＳＢ接続部２０８に接続された受信装置１７０１から送信されるコピー予約対象コンテンツとライセンス情報とを記録部２０２に保存する。
【０１１５】
＜コピー予約時の動作＞
図２３は、コピー予約時の受信装置１７０１と端末装置１８０１の動作フローである。
【０１１６】
ユーザ操作により図２０のコピー予約メニュー画面２００１への入力が行われ、受信装置１７０１へコピー予約要求が入力されると（Ｓ２３０１、Ｓ２３０２）、コピー回数予約管理部１７０３が対象コンテンツのコピー予約日時でのコピー残回数を判断する。その結果、コピー残回数が０でなければ、ユーザによるコピー予約を受け付ける（Ｓ２３０２）。受信装置１７０１は、コピー予約を受け付けると、ＵＳＢ接続部１１７に接続されている端末装置１８０１に、対象コンテンツのコピーとコピー予約要求受け付け時のコピー予約日時に基づくライセンス情報を送信する（Ｓ２３０３）。このライセンス情報は、コピーライセンス発行部１７０４により発行される。コピーライセンス情報は図６に例示した情報６０１であり、対象コンテンツ名と再生可能化時間に関する情報が記述されている。対象コンテンツのコピーが実行されると、コピー予約日時前（Ｓ２３０４でＮＯ）では、受信装置１７０１で対象コンテンツのコピー残回数は変化しない。また、対象コンテンツのコピーが実行されかつコピー予約日時前（Ｓ２３０８でＮＯ）では、受信装置１７０１での対象コンテンツの再生はできない。
【０１１７】
受信装置１７０１は、コピー回数予約管理部１７０３で管理している図２２のコピー回数予約管理表２２０１に基づき、対象コンテンツが端末装置１８０１でのコピー予約日時になったか判断する（Ｓ２３０４）。そして、コピー予約日時になったならば（Ｓ２３０４でＹＥＳ）、コピー回数予約管理部１７０３は、対象コンテンツのコピー可能回数を１回減らす（Ｓ２３０５）。
【０１１８】
また、受信装置１７０１は、コピー回数予約管理表２２０１に基づき、対象コンテンツの端末装置１８０１でのコピー予約日時が終了したと判断すると（Ｓ２３０６でＹＥＳ）と、対象コンテンツのコピー可能回数を１回増やす（Ｓ２３０７）。
【０１１９】
一方、端末装置１８０１では、受信装置１７０１から送信されたライセンス情報に基づき、対象コンテンツが端末装置１８０１へのコピー予約日時になったと判断する（Ｓ２３０８）。そして、コピー予約日時になったならば（Ｓ２３０８でＹＥＳ）、対象コンテンツの再生可能化を行うことで、端末装置１８０１での対象コンテンツの再生を可能とする（Ｓ２３０９）。
【０１２０】
また、受信装置１７０１は、コピーライセンス情報に基づき、対象コンテンツの端末装置１８０１へのコピー予約日時が終了したか判断する（Ｓ２３１０）。そして、コピー予約日時が終了したならば（Ｓ２３１０でＹＥＳ）、対象コンテンツの再生不能化を行い、端末装置１８０１での対象コンテンツの再生を不能とする（Ｓ２３１１）。
【０１２１】
以上説明したように、第３の実施形態によれば、受信装置１７０１で、複数の端末装置１８０１ごとにコンテンツのコピー予約管理を行う。また、各端末装置１８０１ではコピー予約日時だけ対象コンテンツの再生を可能化する。
【０１２２】
このように、対象コンテンツのコピーをコピー予約日時前に行っておき、コピー予約日時のみコンテンツを再生可能化することで、擬似的なコピーを実現し、コピー回数が有限なコンテンツを効率よく活用することが可能となる。
【０１２３】
［他の実施形態］
本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（ＣＰＵやＭＰＵ）が記憶媒体に格納されたプログラムコードを読み出し実行することによっても、達成されることは言うまでもない。
【０１２４】
この場合、記憶媒体から読み出されたプログラムコード自体が前述した実施形態の機能を実現することになり、そのプログラムコードを記憶した記憶媒体は本発明を構成することになる。
【０１２５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読み出したプログラムコードを実行することにより、前述した実施形態の機能が実現される場合もある。
【０１２６】
しかし、さらにプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【０１２７】
さらに、記憶媒体から読み出されたプログラムコードが、コンピュータに挿入された機能拡張ボードやコンピュータに接続された機能拡張ユニットに備わるメモリに書き込まれる場合も有得る。その後、プログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１２８】
【図１】本発明に係る第１の実施形態の受信装置の構成を示すブロック図である。
【図２】第１の実施形態の受信装置に接続可能な端末装置の構成を示すブロック図である。
【図３】第１の実施形態の受信装置により表示されるムーブ予約画面を例示する図である。
【図４】第１の実施形態の受信装置により表示されるムーブ予約時のコンテンツ選択画面を例示する図である。
【図５】第１の実施形態の受信装置により管理されるムーブ予約管理表を例示する図である。
【図６】第１の実施形態の受信装置が端末装置に発行するライセンス情報を説明する図である。
【図７】第１の実施形態の受信装置及び端末装置の動作を示すフローチャートである。
【図８】第１の実施形態の受信装置及び端末装置の動作を示すフローチャートである。
【図９】第１の実施形態の受信装置で表示されるムーブ予約日時選択画面を例示する図である。
【図１０】第１の実施形態の受信装置で表示される再生コンテンツ選択画面を例示する図である。
【図１１】第２の実施形態の受信装置の構成を示すブロック図である。
【図１２】第２の実施形態の受信装置に対して通信可能な端末装置の構成を示すブロック図である。
【図１３】第２の実施形態の受信装置が保有する機器固有情報を説明する図である。
【図１４】第２の実施形態の受信装置により管理されるムーブ予約管理表を例示する図である。
【図１５】第２の実施形態の端末装置で表示されるムーブ予約変更要求画面を例示する図である。
【図１６】第２の実施形態の受信装置及び複数の端末装置の動作を示すフローチャートである。
【図１７】第３の実施形態の受信装置の構成を示すブロック図である。
【図１８】第３の実施形態の受信装置に接続可能な端末装置の構成を示すブロック図である
【図１９】第３の実施形態のコピー予約動作を説明する図である。
【図２０】第３の実施形態の受信装置で表示されるコピー予約画面を例示する図である。
【図２１】第３の実施形態の受信装置で表示されるコンテンツ選択画面を例示する図である。
【図２２】第３の実施形態の受信装置により管理されるコピー回数予約管理表を例示する図である。
【図２３】第３の実施形態の受信装置及び端末装置の動作を示すフローチャートである。
【符号の説明】
【０１２９】
１０１，１１０１，１７０１  受信装置
１０２  デスクランブラ
１０３  デコーダ
１０４  記録部
１０５  記録再生制御部
１０６  エンコーダ
１０７  暗号処理部
１０８  ムーブ予約画面生成部
１０９  合成部
１１０  表示部
１１１  コンテンツムーブ制御部
１１２  時間管理部
１１３  コンテンツムーブ予約管理部
１１４  ムーブ予約画面表示判断部
１１５  リモコンコード解析部
１１６  リモコン受信部
１１７  ＵＳＢ接続部
１１８  接続機器検出部
１１９  ムーブライセンス発行部
１２０  チューナ
２０１，１２０１，１８０１  端末装置
２０２  記録部
２０３  記録再生制御部
２０４  デコーダ
２０５  表示部
２０６  コンテンツムーブ制御部
２０７  時間管理部
２０８  ＵＳＢ接続部
２０９  暗号処理部
１１０２  ムーブ予約機器固有情報記憶部
１１０３  ムーブ予約変更管理部
１１０４，１２０４  通信部
１２０２  ムーブ予約依頼部
１２０３  ムーブ予約変更受付部
１７０２  コンテンツコピー制御部
１７０３  コピー回数予約管理部
１７０４  コピーライセンス発行部
１７０５  コピー予約画面表示判断部
１７０６  コピー予約画面生成部
１８０２  コンテンツコピー制御部
【図１】
2010122769.tif 000003
【図２】
2010122769.tif 000004
【図３】
2010122769.tif 000005
【図４】
2010122769.tif 000006
【図５】
2010122769.tif 000007
【図６】
2010122769.tif 000008
【図７】
2010122769.tif 000009
【図８】
2010122769.tif 000010
【図９】
2010122769.tif 000011
【図１０】
2010122769.tif 000012
【図１１】
2010122769.tif 000013
【図１２】
2010122769.tif 000014
【図１３】
2010122769.tif 000015
【図１４】
2010122769.tif 000016
【図１５】
2010122769.tif 000017
【図１６】
2010122769.tif 000018
【図１７】
2010122769.tif 000019
【図１８】
2010122769.tif 000020
【図１９】
2010122769.tif 000021
【図２０】
2010122769.tif 000022
【図２１】
2010122769.tif 000023
【図２２】
2010122769.tif 000024
【図２３】
2010122769.tif 000025